(57)【要約】【課題】  ユーザの使用がより簡便となった折り畳み型携帯電話機を提供することを目的とする。【解決手段】  本発明に係る折り畳み型携帯電話機は、画像表示部又はキー操作部として機能する第１の筐体１１と、当該第１の筐体１１とヒンジ軸で回動可能に取付けられ、画像表示部又はキー操作部として機能する第２の筐体１２とを有する折り畳み型携帯電話機であって、第１の筐体１１と第２の筐体１２との上下関係を検出する方向センサ３５と、第１の筐体１１及び第２の筐体１２の内、下方に配置された筐体にキー操作部を割り当て、上方に配置された筐体に画像表示部を割り当てる割当て制御を行う制御部とを備えたものである。【選択図】  図１
2006279769.tif 000002
【特許請求の範囲】
【請求項１】
画像表示部又はキー操作部として機能する第１の機能部と、
当該第１の機能部とヒンジ軸で回動可能に取付けられ、前記画像表示部又は前記キー操作部として機能する第２の機能部とを有する折り畳み型携帯電話機であって、
前記第１の機能部と前記第２の機能部との上下関係を検出する位置検出部と、
前記第１の機能部及び前記第２の機能部の内、下方に配置された機能部に前記キー操作部を割り当て、上方に配置された機能部に前記画像表示部を割り当てる割当て制御を行う制御部とを備えた折り畳み型携帯電話機。
【請求項２】
前記位置検出部は、前記第１の機能部及び前記第２の機能部の内、把持された側の機能部に前記キー操作部を割り当て、把持されていない側の機能部に前記画像表示部を割り当てることを特徴とする請求項１記載の折り畳み型携帯電話機。
【請求項３】
前記第１の機能部と前記第２の機能部との開閉状態を検出する開閉検出部を、さらに備え、
前記制御部は、前記上下関係とともに前記開閉検出部によって検出された開閉状態に応じて、前記割当て制御を行うことを特徴とする請求項１又は２記載の折り畳み型携帯電話機。
【請求項４】
前記第１の機能部と前記第２の機能部とは、前記ヒンジ軸に関して対称な構成を有する請求項１乃至３のいずれかに記載の折り畳み型携帯電話機。
【請求項５】
前記第１の機能部は、第１の筐体と、当該第１の筐体に取付けられた第１のタッチパネル及び第１の画像表示装置とを有し、
前記第２の機能部は、第２の筐体と、当該第２の筐体に取付けられた第２のタッチパネル及び第２の画像表示装置とを有することを特徴とする請求項１乃至４のいずれかに記載の折り畳み型携帯電話機。
【請求項６】
前記第２の機能部を前記第１の機能部に対して前記ヒンジ軸を軸として回動させ、前記第１の機能部と前記第２の機能部とを開閉するための開閉機構を、さらに備え、
前記制御部は、当該開閉機構の開閉に応じて前記割当て制御を行うことを特徴とする請求項１乃至５のいずれかに記載の折り畳み型携帯電話機。
【請求項７】
前記開閉機構は、前記第１の機能部に設けられ、前記第２の機能部を前記第１の機能部に対して開けるための第１のプッシュボタンと、前記第２の機能部に設けられ、前記第１の機能部を前記第２の機能部に対して開けるための第２のプッシュボタンとを有することを特徴とする請求項６記載の折り畳み型携帯電話機。
【請求項８】
前記位置検出部は、前記第１のプッシュボタンが押下された場合には、前記第２の機能部が前記第１の機能部に対して下方に配置されたことを検出し、前記第２のプッシュボタンが押下された場合には、前記第１の機能部が前記第２の機能部に対して下方に配置されたことを検出することを特徴とする請求項６又は７記載の折り畳み型携帯電話機。
【請求項９】
前記第２のプッシュボタンは、第２の機能部が把持された状態において、第１の機能部が把持された状態での前記第１のプッシュボタンの位置と略同じ位置となるように配設されることを特徴とする請求項７又は８記載の折り畳み型携帯電話機。
【請求項１０】
画像表示部又はキー操作部として機能する第１の機能部と、
当該第１の機能部とヒンジ軸で回動可能に取付けられ、前記画像表示部又は前記キー操作部として機能する第２の機能部とを有する折り畳み型携帯電話機であって、
前記第１の機能部は、第１の筐体と、当該第１の筐体に取付けられた第１のタッチパネル及び第１の画像表示装置とを有し、
前記第２の機能部は、第２の筐体と、当該第２の筐体に取付けられた第２のタッチパネル及び第２の画像表示装置とを有する折り畳み型携帯電話機。
【請求項１１】
前記第１の機能部と前記第２の機能部との上下関係を検出する位置検出部と、
前記第１の機能部及び前記第２の機能部の内、下方に配置された機能部に前記キー操作部を割り当て、上方に配置された機能部に前記画像表示部を割り当てる割当て制御を行う制御部とを、さらに備えたことを特徴とする請求項１０記載の折り畳み型携帯電話機。
【請求項１２】
前記第１の機能部は、前記第１の筐体に設けられた第１のマイクおよび第１のレシーバを有し、
前記第２の機能部は、前記第２の筐体に設けられた第２のマイクおよび第２のレシーバを有し、
前記制御部は、前記第１の機能部及び前記第２の機能部の内、下方に配置された機能部のマイクを動作させ、上方に配置された機能部のレシーバを動作させることを特徴とする請求項１１記載の折り畳み型携帯電話機。
【発明の詳細な説明】
【技術分野】
【０００１】
本発明は、折り畳み型携帯電話機に関する。
【背景技術】
【０００２】
従来から、携帯電話機は、音声通信を行うために用いられてきた。近年、このような携帯電話機は、音声通信の他に、データ通信、画像通信といった種々の機能を備えている。このような種々の機能に対応して画像を見やすく表示するために、画像表示部の大型化が必要になっている。一方、市場から携帯電話機の小型化が要求され、画像表示部の小型化も要求されている。その一例として、折り畳み式の構造とすることにより、画像表示部の大型化が実現されている。このような折り畳み式の携帯電話機の一例が、特許文献１に開示されている。
【０００３】
このような折り畳み型携帯電話機では、画像表示部とキー操作部の配置が固定されている。また、この携帯電話機を閉じた状態で置く場合には、通常はキー操作部側を下側にして置くことが多い。そのため、携帯電話機を手に取って開き、この状態で再びキー操作部側を持つためには、何かしら持ち替えるための動作が必要となる。この持ち替え動作は、スムーズに操作を行うための妨げとなり、ユーザは簡便に使用を行うことができない。
【特許文献１】特開平２００３−１８８９６６号公報
【発明の開示】
【発明が解決しようとする課題】
【０００４】
本発明は、このような問題点を解決するためになされたもので、ユーザの使用がより簡便となった折り畳み型携帯電話機を提供することを目的とする。
【課題を解決するための手段】
【０００５】
本発明に係る折り畳み型携帯電話機は、画像表示部又はキー操作部として機能する第１の機能部（例えば、発明を実施するための最良の形態において、第１のＬＣＤ２１１、第１のタッチパネル２２１、第１のマイク２３１、第１のレシーバ２４１が実装された第１の筐体１１）と、当該第１の機能部とヒンジ軸で回動可能に取付けられ、前記画像表示部又は前記キー操作部として機能する第２の機能部（例えば、発明を実施するための最良の形態において、第２のＬＣＤ２１２、第２のタッチパネル２２２、第２のマイク２３２、第２のレシーバ２４２が実装された第２の筐体１２）とを有する折り畳み型携帯電話機であって、前記第１の機能部と前記第２の機能部との上下関係を検出する位置検出部（例えば、発明を実施するための最良の形態において方向センサ３５）と、前記第１の機能部及び前記第２の機能部の内、下方に配置された機能部に前記キー操作部を割り当て、上方に配置された機能部に前記画像表示部を割り当てる割当て制御を行う制御部（例えば、発明を実施するための最良の形態においてＣＰＵ３１）とを備えたものである。
【０００６】
このような構成において、第１の機能部と第２の機能部それぞれに自動的に画像表示部とキー操作部が割り当てられる。それ故、ユーザは、従来のキー操作部と画像表示部が固定されている携帯電話機のように、いちいちどちらの筐体を持つかを意識したり持ち替えたりする必要がなくなる。従って、手に取ってからキー操作するまでの動作をよりスムーズに行うことができ、ユーザは携帯電話機を簡便に使用することができる。
【０００７】
さらに、前記位置検出部は、前記第１の機能部及び前記第２の機能部の内、把持された側の機能部に前記キー操作部を割り当て、把持されていない側の機能部に前記画像表示部を割り当てることができる。
【０００８】
さらにまた、前記第１の機能部と前記第２の機能部との開閉状態を検出する開閉検出部を備え、前記制御部は、前記上下関係とともに前記開閉検出部によって検出された開閉状態に応じて、前記割当て制御を行う。
【０００９】
また、前記第１の機能部と前記第２の機能部とを、前記ヒンジ軸に関して対称な構成とすることができる。
【００１０】
またさらに、前記第１の機能部は、第１の筐体と、当該第１の筐体に取付けられた第１のタッチパネル及び第１の画像表示装置とを有し、前記第２の機能部は、第２の筐体と、当該第２の筐体に取付けられた第２のタッチパネル及び第２の画像表示装置とを有する。
【００１１】
さらに、前記第２の機能部を前記第１の機能部に対して前記ヒンジ軸を軸として回動させ、前記第１の機能部と前記第２の機能部とを開閉するための開閉機構を備え、前記制御部は、当該開閉機構の開閉に応じて前記割当て制御を行う。これにより、携帯電話機を自動で開閉することができるので、携帯電話機の使用をより簡便にすることができる。
【００１２】
好適には、前記開閉機構は、前記第１の機能部に設けられ、前記第２の機能部を前記第１の機能部に対して開けるための第１のプッシュボタンと、前記第２の機能部に設けられ、前記第１の機能部を前記第２の機能部に対して開けるための第２のプッシュボタンとをする。
【００１３】
この場合、前記位置検出部は、前記第１のプッシュボタンが押下された場合には、前記第２の機能部が前記第１の機能部に対して下方に配置されたことを検出し、前記第２のプッシュボタンが押下された場合には、前記第１の機能部が前記第２の機能部に対して下方に配置されたことを検出する。
【００１４】
また、前記第２のプッシュボタンは、第２の機能部が把持された状態において、第１の機能部が把持された状態での前記第１のプッシュボタンの位置と略同じ位置となるように配設される。
【００１５】
他方、本発明に係る折り畳み型携帯電話機は、画像表示部又はキー操作部として機能する第１の機能部と、当該第１の機能部とヒンジ軸で回動可能に取付けられ、前記画像表示部又は前記キー操作部として機能する第２の機能部とを有する折り畳み型携帯電話機であって、前記第１の機能部は、第１の筐体と、当該第１の筐体に取付けられた第１のタッチパネル及び第１の画像表示装置とを有し、前記第２の機能部は、第２の筐体と、当該第２の筐体に取付けられた第２のタッチパネル及び第２の画像表示装置とを有する。
【００１６】
このような構成において、第１の機能部と第２の機能部それぞれに自動的に画像表示部とキー操作部が割り当てられる。それ故、ユーザは、従来のキー操作部と画像表示部が固定されている携帯電話機のように、いちいちどちらの筐体を持つかを意識したり持ち替えたりする必要がなくなる。従って、手に取ってからキー操作するまでの動作をよりスムーズに行うことができ、ユーザは携帯電話機を簡便に使用することができる。
【００１７】
さらに、本発明に係る折り畳み型携帯電話機は、前記第１の機能部と前記第２の機能部との上下関係を検出する位置検出部と、前記第１の機能部及び前記第２の機能部の内、下方に配置された機能部に前記キー操作部を割り当て、上方に配置された機能部に前記画像表示部を割り当てる割当て制御を行う制御部とを備えたものである。
【００１８】
また、前記第１の機能部は、前記第１の筐体に設けられた第１のマイクおよび第１のレシーバを有し、前記第２の機能部は、前記第２の筐体に設けられた第２のマイクおよび第２のレシーバを有し、前記制御部は、前記第１の機能部及び前記第２の機能部の内、下方に配置された機能部のマイクを動作させ、上方に配置された機能部のレシーバを動作させる。
【発明の効果】
【００１９】
本発明によれば、ユーザの使用がより簡便となった折り畳み型携帯電話機を提供することができる。
【発明を実施するための最良の形態】
【００２０】
本発明に係る折り畳み型携帯電湾機は、ヒンジ構造によって接続された２つの筐体を持ち、各筐体に各種機能を行うモジュールがほぼ対象に設けられたものである。本発明に係る折り畳み型携帯電話機は、これら２つの筐体の配置位置に応じて、各モジュールを機能させる。好適には、折り畳み型携帯電話機は、各筐体にＬＣＤ・タッチパネル・マイク・レシーバが設けられた折り畳み型携帯電話機である。この折り畳み型携帯電話機を用いて本発明を実施するための最良の形態について説明する。
【００２１】
本発明は、ヒンジ構造により接続されている２つの筐体を持つ折り畳み型携帯電話機において、ＬＣＤ・タッチパネル・マイク・レシーバを各筐体にそれぞれ有することで、各筐体が画像表示部とキー操作部のどちらにもなり得て、さらに携帯電話機を開いたときの各筐体の状態（どちらの筐体が上側なのか（ｄまたは下側なのか））を検出する手段を設けることにより、開いたときの状態に応じて自動的に画像表示部とキー操作部のレイアウトを最適化する機能を有することを特徴とする。
【００２２】
以下、本発明を実施するための最良の形態について説明する。
発明の実施の形態１．
まず、図１及び図２を用いて、本発明に係る折り畳み型携帯電話機の外観構成について説明する。図１及び図２は、本発明に係る折り畳み型携帯電話機の外観構成の一例を示す外観模式図である。
図１及び図２に示すように、折り畳み型携帯電話機１（以下、単に携帯電話機１と略す）は、第１の筐体１１、第２の筐体１２を有する。これら第１の筐体１１と第２の筐体１２とは、ヒンジ構造により連結されている。すなわち、本実施形態においては、第１の筐体１１は、第２の筐体１２に対して開閉可能に取付けられている。詳細には、第１の筐体１１と第２の筐体１２とは、それらの一側面に沿ったヒンジ軸１３で回動可能に取付けられている。
【００２３】
図１は筐体１２が筐体１１に対して下方に配置された状態の携帯電話機１を示し、図２は筐体１１が筐体１２に対して下方に配置された状態の携帯電話機１を示している。図１（ａ）及び図２（ａ）は、携帯電話機１が閉じた状態（以下、これを閉状態と略す）を示している。図１（ｂ）及び図２（ｂ）は、携帯電話機１が開いた状態（以下、これを開状態と略す）を示している。
図１及び図２に示すように、第１の筐体１１には、第１のＬＣＤ２１１、第１のタッチパネル２２１、第１のマイク２３１、第１のレシーバ２４１が実装されている。第１の筐体１１の反対側に装着された第２の筐体１２にもまた、第２の筐体１１と同様に、第２のＬＣＤ２１２、第２のタッチパネル２２２、第２のマイク２３２、第２のレシーバ２４２が実装されている。これら筐体１１，１２のいずれか一方は画像表示部として機能し、他方はキー操作部として機能する。このような機能については、後に詳細に説明する。
【００２４】
ＬＣＤ２１１，２１２は、各種画像を表示するための画像表示部の一例であり、筐体１１，１２それぞれの主面に装着されている。
タッチパネル２２１，２２２は、携帯電話機１を操作するためのデータ入力部の一例であり、ＬＣＤ２１１，２１２の前面に配置されている。また、タッチパネル２２１，２２２はそれぞれ、ＬＣＤ２１１，２１２と別ピースの部材として実装し、ＬＣＤ２１１，２１２の前面にタッチパネル２２１，２２２を配置する構成としているが、ＬＣＤ２１１，２１２自身にタッチパネル２２１，２２２の機能を持たせてもよい。
マイク２３１，２３２は、通話するためにユーザの音声を入力するための音声入力部の一例である。
レシーバ２４１，２４２は、通話相手の音声をユーザに出力するための音声出力部の一例である。
【００２５】
図１（ａ）及び図２（ａ）に示すように、携帯電話機１は、筐体１１,１２がヒンジ軸１３に関して対称な構造を有する。すなわち、ＬＣＤ２１１，２１２は開状態で対称に配置され、タッチパネル２２１，２２２もまた対称に配置されている。さらに、マイク２３１，２３２は、この開状態で対称に配置され、レシーバ２４１，２４２もまた対象に配置されている。従って、ユーザが筐体１１,１２のいずれを持って携帯電話機１を開いたとしても、携帯電話機１は同じように見える構造を有する。
また、図１（ｂ）及び図２（ｂ）に示すように、携帯電話機１は、閉状態で、筐体１１,１２のいずれを下側にしても載置可能な構造を有する。筐体１１,１２は、閉状態で置かれた状態では重ね合せられている。詳細には、ＬＣＤ２１１，２１２が互いに重なり、タッチパネル２２１，２２２が互いに重なり合っている。
【００２６】
続いて、図３を用いて、本発明に係る携帯電話機１の内部構成について説明する。図３は、この携帯電話機１の内部構成の一例を示すブロック図である。
図２に示すように、携帯電話機１には、ＣＰＵ３１、メモリ３２、無線部３３、開閉センサ３４、方向センサ３５が実装されている。
ＣＰＵ３１は、携帯電話機１の各種動作を制御する制御部の一例である。
メモリ３２は、ＲＡＭ、ＲＯＭ等から構成された記憶部の一例であり、携帯電話機１の各種動作を行うためのプログラム、このプログラムを実行するために一時的にデータを記憶する機能を有する。ＣＰＵ３１は、メモリ３２に所定のプログラムを展開して実行する。
無線部３３は、無線モジュールやインタフェース回路等から構成され、携帯電話機１が無線通信するための送受信部の一例である。
【００２７】
開閉センサ３４は、携帯電話機１の開閉状態を検出するための検出部の一例である。開閉センサ３４は、例えば、ホール素子のような磁気の変化を検出するデバイスを利用することができるが、機械的、あるいは構造的に開閉を検出する機構を用いてもよい。この開閉センサ３４は、携帯電話機１が閉状態から開状態へと変化したことを示す開状態検出信号を出力する。それとともに、開閉センサ３４は、携帯電話機１が開状態から閉状態へと変化したことを示す閉状態検出信号を出力する。
【００２８】
方向センサ３５は、筐体１１，１２の配置状態を検出する検出部の一例であり、筐体１１,１２の鉛直方向（上下方向）に関する位置関係（上下関係）を検出する。この方向センサ３５は、筐体１２が筐体１１に対して下側に配置されたことを示す正方向検出信号を出力する。それとともに、方向センサ３５は、筐体１１が筐体１２に対して下側に配置されたことを示す逆方向検出信号を出力する。
マイク２３１，２３２は、いずれか一方のみが選択されるように、マイク・スイッチ２５１によって切替えられる。レシーバ２４１，２４２もまた、いずれか一方のみが選択されるように、マイク・スイッチ２５２によって切替えられる。
【００２９】
また、図２において、ＣＰＵ３１は、ＬＣＤ２１１，２１２に対して、操作キーを表示するためのキー表示信号を出力する。それとともに、ＣＰＵ３１は、ＬＣＤ２１１，２１２に対して、通常の画像データや文字データ等のデータ表示を行うための通常画面表示信号を出力する。
さらに、図２において、ＣＰＵ３１は、タッチパネル２２１，２２２に対して、操作キーとしての機能を有効にするタッチパネル有効信号する。
【００３０】
次に、図４を用いて、本発明に係る携帯電話機１の開閉時における処理動作について説明する。図４は、本発明に係る携帯電話機１の開閉動作時における内部処理の一例を示すフローチャートである。ここで、適宜図１及び図２を参照しながら説明する。
図１に示すように、携帯電話機１が、第２の筐体１２が第１の筐体１１に対して下側に配置された状態で置かれている。このとき、開閉センサ３４は携帯電話機１の開閉状態を監視し、それとともに方向センサ３５は筐体１１，１２のどちらが下側なのかを監視している。ユーザは、例えば、この状態から携帯電話機１を把持して持ち上げ、第２の筐体１２を片手で持った状態で他の片手で第１の筐体１１を開く。
【００３１】
図４に示すように、携帯電話機１が閉状態から開状態に変化すると（Ｓ１０１）、開閉センサ３４は、ＣＰＵ３１に対して開状態検出信号を出力する。ＣＰＵ３１は、入力された開状態検出信号に基づいて、携帯電話機１が開状態であることを自動で認識する。方向センサ３５は、筐体１１，１２のどちらが下側に配置されているかを検出する（Ｓ１０２）。ＣＰＵ３１は、この検出結果に応じて、筐体１１，１２に対して画像表示部とキー操作部との割り当てを決定する。
【００３２】
具体的には、第２の筐体１２が第１の筐体１１に対して下側に配置された場合が、図１に示されている。この場合には、方向センサ３５は、ＣＰＵ３１に対して正方向検出信号を入力する。ＣＰＵ３１は、入力された正方向検出信号に基づいて、第２の筐体１２が第１の筐体１１の下側に配置されていることを自動で認識する。ＣＰＵ３１は、キー表示信号、タッチパネル有効信号それぞれを第２の筐体１２に設けられた第２のＬＣＤ２１２、第２のタッチパネル２２２に入力する。
第２のＬＣＤ２１２は、入力されたキー表示信号に基づいて操作キーが表示し、第２のタッチパネル２２２は、タッチパネル有効信号に基づいてタッチパネル機能を有効にする。これによって、第２のＬＣＤ２１２が操作キーとしての機能を開始し、第２の筐体１２はキー操作部として使用可能となる（Ｓ１０３）。
【００３３】
ＣＰＵ３１が第２の筐体１２に対してキー操作部を割り当てるとき、図４に示すように、第１の筐体１１に対して画像表示部を割り当てる（Ｓ１０４）。具体的には、ＣＰＵ３１は、第２の筐体１２が第１の筐体１１の下側に配置されていることを認識すると、通常画像表示信号を第１のＬＣＤ２１１に入力する。第１のＬＣＤ２１１は、入力された通常画像表示信号に基づいて待受画面等の通常画像を表示する。
これによって、第１のＬＣＤ２１１が通常の画像表示を行う機能を開始し、第１の筐体１１は画像表示部として使用可能となる。ここで、ＣＰＵ３１は、第１のタッチパネル２２１にタッチパネル有効信号を入力しないので、第１のタッチパネル２２１は有効でない。
【００３４】
筐体１１，１２のそれぞれに画像表示部とキー操作部とが割り当てられる。すると、ＣＰＵ３１は、第１の筐体１１に設けられた第１のレシーバ２４１が通話の際に使用されるので、レシーバ・スイッチ２５２を切替えて第１のレシーバ２４１をＯＮする（Ｓ１０５）。ＣＰＵ３１は、これと同様に、マイク・スイッチ２５１を切替えて、第２の筐体１２に設けられた第２のマイク２３２をＯＮする（Ｓ１０６）。
【００３５】
このように各種設定が行われた状態で、ユーザが第２のＬＣＤ２１２に表示されているキーを押す。すると、第２のタッチパネル２２２は、押された箇所の座標を示す座標信号をＣＰＵ３１に入力し、ＣＰＵ３１は、この座標信号に基づいてどのキーが押されたのかを検出する。ＣＰＵ３１は、入力された座標信号に対応した制御を行い、これによって所望のキー操作が実現される。
【００３６】
上記とは逆に、図２に示すように、携帯電話機１が、第１の筐体１１が第２の筐体１２に対して下側に配置された状態で置かれている。ユーザは、例えば、この状態から携帯電話機１を把持して持ち上げ、第１の筐体１１を片手で持った状態で他の片手で第２の筐体１２を開く。センサ３４，３５はそれぞれ、これに応じて、ＣＰＵ３１に対して開状態検出信号、逆方向検出信号を出力する。これに応じて、センサ３４，３５はそれぞれ、ＣＰＵ３１に対して開状態検出信号、逆方向検出信号を出力する。
【００３７】
ＣＰＵ３１は、方向センサ３５からの逆方向検出信号に基づいて、第１の筐体１１が第２の筐体１２の下側に配置されていることを自動で認識する。ＣＰＵ３１は、キー表示信号、タッチパネル有効信号それぞれを第１のＬＣＤ２１１、第１のタッチパネル２２１に入力する。
第１のＬＣＤ２１１は、入力されたキー表示信号に基づいて操作キーが表示し、第１のタッチパネル２２１は、タッチパネル有効信号に基づいてタッチパネル機能を有効にする。これによって、第１のＬＣＤ２１１が操作キーとしての機能を開始し、第１の筐体１２はキー操作部として使用可能となる（Ｓ１０７）。
【００３８】
ＣＰＵ３１は、第１の筐体１１に対してキー操作部を割り当てるとともに、第２の筐体１２に対して画像表示部を割り当てる（Ｓ１０８）。具体的には、ＣＰＵ３１は、第２の筐体１２が第１の筐体１１の下側に配置されていることを認識すると、通常画像表示信号を第２のＬＣＤ２１２に入力する。
これによって、第２のＬＣＤ２１２が通常の画像表示を行う機能を開始し、第２の筐体１２は画像表示部として使用可能となる。ここで、ＣＰＵ３１は、第２のタッチパネル２２２にタッチパネル有効信号を入力しないので、第２のタッチパネル２２２は有効でない。また、筐体１１，１２のそれぞれに画像表示部とキー操作部とが割り当てられると、ＣＰＵ３１は、第２のレシーバ２４２をＯＮし（Ｓ１０９）、第１のマイク２３１をＯＮする（Ｓ１１０）。
【００３９】
筐体１１，１２の位置関係に応じてそれぞれ画像表示部、キー操作部を割り当てた後、筐体１１，１２の上下の配置が変化した場合には（Ｓ１１１）、Ｓ１０２まで戻って再度各種設定を行う。すなわち、筐体１１，１２のうち下側はどちらかを検知し、ＬＣＤ２１１，２１２、タッチパネル２２１，２２２の設定を行い、レシーバ２４１，２４２、マイク２３１，２３２の設定を行う。
【００４０】
以上のように、本発明に係る携帯電話機１おいては、筐体１１，１２のそれぞれにＬＣＤ２１１，２１２、タッチパネル２２１，２２２、マイク２３１，２３２、レシーバ２４１，２４２が実装されている。この携帯電話機１では、下側の筐体を自動的に検出することによって、携帯電話機１を開いたときに筐体１１，１２のそれぞれを自動的に画像表示部とキー操作部のレイアウトを最適化する機能を有する。それ故、携帯電話機１がどのように置かれていても、ユーザが携帯電話機１を開いたときに、通常手に持っている下側の筐体が自動的にキー操作部に割り当てられる。そのため、ユーザは、従来のキー操作部と画像表示部が固定されている携帯電話機１のように、いちいちどちらの筐体を持つかを意識したり持ち替えたりする必要がなくなる。従って、手に取ってからキー操作するまでの動作をよりスムーズに行うことができ、ユーザは携帯電話機１を簡便に使用することができる。
なお、本実施形態においては、方向センサ３５は筐体１１，１２のどちらが下側に配置されているかを検出しているが、筐体１１，１２のどちらが上側に配置されているかを検出してもよい。
【００４１】
発明の実施の形態２．
発明の実施の形態１においては、手動で開閉する携帯電話機１を用いて説明したが、発明の実施の形態２においては、ワンプッシュによって自動で開閉する携帯電話機を用いて説明する。
まず、図５及び図６を用いて、本実施形態における携帯電話機の外観構成について説明する。図５及び図６は、本実施形態における携帯電話機の外観構成の一例を示す模式図である。なお、図５及び図６においては、発明の実施の形態１における携帯電話機１と同じ部材については同じ符号を付し、ここではその説明を省略する。
図５に示すように、本実施形態における携帯電話機４０には、第１のプッシュボタン４１、第２のプッシュボタン４２が実装されている。
【００４２】
図５及び図６に示すように、第１のプッシュボタン４１は第２の筐体１２の側面に配設されている。従って、第１のプッシュボタン４１は、ユーザが第２の筐体１２を右手で把持したときに右手の親指で押すことができる。
第２のプッシュボタン４２は第１の筐体１１の側面に配設されている。すなわち、第２のプッシュボタン４２は、第１のプッシュボタン４１の配設面に対向した第１の筐体１１側面に設けられている。従って、ユーザは、第２の筐体１２を右手で把持したときに右手の親指で押下することができる。これらプッシュボタン４１，４２の実装場所は押しやすい場所であればどこでもよい。
【００４３】
続いて、図７を用いて、本実施形態における携帯電話機４０の内部構成について説明する。図７は、この携帯電話機４０の内部構成の一例を示すブロック図である。なお、図７においては、発明の実施の形態１における携帯電話機１の機能ブロックについては同じ符号を付し、ここではその説明を省略する。
図７に示すように、携帯電話機４０は、開閉センサ３４、方向センサ３５に替えて、上記のプッシュボタン４１，４２を有する。第１のプッシュボタン４１は、ＣＰＵ３１に対して、押下されたことを示す第１の押下信号を出力し、第２のプッシュボタン４２は、ＣＰＵ３１に対して、押下されたことを示す第２の押下信号を出力する。
【００４４】
次に、図８を用いて、本実施形態における携帯電話機４０の開閉時における処理動作について説明する。図８は、本実施形態における携帯電話機４０の開閉動作時における内部処理の一例を示すフローチャートである。ここで、適宜図５及び図６を参照しながら説明する。なお、図７においては、発明の実施の形態１における携帯電話機１と同じ処理については同じ符号を付し、ここではその説明を省略する。
図５に示すように、携帯電話機１が、第２の筐体１２が第１の筐体１１に対して下側に配置された状態で置かれている。ユーザは、例えば、この状態から携帯電話機１を把持して持ち上げ、第２の筐体１２を右手で持った状態で、右手親指で第１のプッシュボタン４１を押す。すると、第１の筐体１１は、この押下に応じて第２の筐体１２に対して開く。
【００４５】
図８に示すように、ユーザが携帯電話機１を開くのに応じて、携帯電話機１が閉状態から開状態に変化する（Ｓ１３１）。すると、第１のプッシュボタン４１は、ＣＰＵ３１に対して第１の押下信号を出力する。ＣＰＵ３１は、入力された第１の押下信号に基づいて、第２の筐体１２が下側に配置された状態で第１の筐体１１が開いたことを検出して自動で認識する（Ｓ１３２）。ＣＰＵ３１は、この検出結果に応じて、筐体１１，１２に対して画像表示部とキー操作部との割り当てを決定する。その具体的な処理Ｓ１０３〜Ｓ１１０は、発明の実施の形態１における携帯電話機１による処理と同じであり、ここでは省略する。
【００４６】
上記とは逆に、図６に示すように、携帯電話機１が、第１の筐体１１が第２の筐体１２に対して下側に配置された状態で置かれている。ユーザは、例えば、この状態から携帯電話機１を把持して持ち上げ、第１の筐体１１を右手で持った状態で、右手親指で第２のプッシュボタン４２を押す。すると、第２の筐体１２は、この押下に応じて第１の筐体１１に対して開く。
携帯電話機１が開くと、第２のプッシュボタン４２は、ＣＰＵ３１に対して第２の押下信号を出力する。ＣＰＵ３１は、入力された第２の押下信号に基づいて、第１の筐体１１が下側に配置された状態で第２の筐体１２が開いたことを検出して自動で認識する（Ｓ１３３）。ＣＰＵ３１は、この検出結果に応じて、処理Ｓ１０３〜Ｓ１１０と同様に筐体１１，１２に対して画像表示部とキー操作部との割り当てを決定する。
【００４７】
このように、本実施形態における携帯電話機４０においては、ユーザが携帯電話機１を開くときに、第２の筐体１２側を持っている場合には通常第１のプッシュボタン４１を押す。逆に、ユーザが第１の筐体１１側を持っている場合には通常第２のプッシュボタン４２を押す。そのため、手に持った筐体１１，１２次第で押されるプッシュボタン４１，４２が自動的に決定される。それ故、ＣＰＵ３１は、どちらのプッシュボタン４１，４２が押されたのかを検出することによって、通常手に持っている下側の筐体にキー操作部、上側の筐体に画像表示部を割り当てることができる。これによって、ユーザは、いちいちどちらの筐体を持つかを意識したり持ち替えたりする必要がなく、携帯電話機１を簡便に使用することができる。
【００４８】
なお、本実施形態においては、ＣＰＵ３１はタッチパネル有効信号を入力しないことによってタッチパネル２２１，２２２を無効にしているが、タッチパネル２２１，２２２を無効にする信号を入力することによってタッチパネルのタッチパネル機能を無効にしてもよい。またなお、画像表示部として使用されている側のタッチパネル機能の有効／無効は特に指定せず、使用シーンに合わせて任意に設定してもよい。すなわち、タッチパネル機能を有効にした状態で画像表示部として機能させたり、本実施形態のように画像表示部として機能する場合にはタッチパネル機能を無効にしたりすることができる。
【００４９】
さらになお、筐体１１，１２の上下方向が途中で入れ替わった場合には、自動的に画像表示部とキー操作部のレイアウトが入れ替わるように制御することができる。具体的には、方向センサ３５が、ユーザが使用している最中も筐体１１，１２の上下（位置関係）を監視する。方向センサ３５は、ユーザ使用中に、筐体１１，１２の上下関係が変化した場合には、正方向検出信号、逆方向検出信号を出力する。ＣＰＵ３１は、これに応じて、上記の各種処理Ｓ１０２〜Ｓ１１１を行う。これによって、ユーザ使用中に筐体１１，１２が替わった場合にも対応することができる。
【００５０】
またなお、上記のように自動的に画像表示部とキー操作部のレイアウトを割り当てるのとは別に、手動でレイアウトを固定するように構成してもよい。この場合、例えば、筐体１１,１２の側面に静電センサを設け、この静電センサからのレイアウト固定を示すレイアウト固定信号に基づいて固定することができる。
詳細には、静電センサから出力されたレイアウト固定信号はＣＰＵに入力され、ＣＰＵは、このレイアウト固定信号に基づいて、第１の筐体に設けられた第１のＬＣＤに待受画面を表示させる。それとともに、ＣＰＵは、このレイアウト固定信号に基づいて、第２の筐体に設けられた第２のＬＣＤにキーを表示し、第２のタッチパネルのタッチパネル機能を有効にする。これによって、上下の筐体１１,１２それぞれを画像表示部、キー操作部として使用することができるようになる。
【図面の簡単な説明】
【００５１】
【図１】本発明に係る折り畳み型携帯電話機の外観構成の一例を示す外観模式図である。
【図２】本発明に係る折り畳み型携帯電話機の外観構成の一例を示す外観模式図である。
【図３】本発明に係る折り畳み型携帯電話機の内部構成の一例を示すブロック図である。
【図４】本発明に係る折り畳み型携帯電話機の内部処理の一例を示すフローチャートである。
【図５】本発明に係る折り畳み型携帯電話機の外観構成の他の一例を示す外観模式図である。
【図６】本発明に係る折り畳み型携帯電話機の外観構成の他の一例を示す外観模式図である。
【図７】本発明に係る折り畳み型携帯電話機の内部構成の他の一例を示すブロック図である。
【図８】本発明に係る折り畳み型携帯電話機の内部処理の他の一例を示すフローチャートである。
【符号の説明】
【００５２】
１…折り畳み型携帯電話機、１１…第１の筐体、１２…第２の筐体、１３…ヒンジ軸
２１１…第１のＬＣＤ、２１２…第２のＬＣＤ、２２１…第１のタッチパネル、
２２２…第２のタッチパネル、２３１…第１のマイク、２３２…第２のマイク、
２４１…第１のレシーバ、２４２…第２のレシーバ、２５１…マイク・スイッチ、
２５２…レシーバ・スイッチ、
３１…ＣＰＵ、３２…メモリ、３３…無線部、３４…開閉センサ、３５…方向センサ
４０…携帯電話機、４１…第１のプッシュボタン、４２…第２のプッシュボタン
【図１】
2006279769.tif 000003
【図２】
2006279769.tif 000004
【図３】
2006279769.tif 000005
【図４】
2006279769.tif 000006
【図５】
2006279769.tif 000007
【図６】
2006279769.tif 000008
【図７】
2006279769.tif 000009
【図８】
2006279769.tif 000010